(57)【要約】【課題】再資源化のためにリサイクル性を高め、パネルほぼ全域にわたって空気を流すことを可能にした断熱パネルを提供する。【解決手段】断熱パネル１は断熱材としての樹脂発泡体３、構造用面材４および内側通気層５を形成するための縦方向桟木８ａ、８ｂ、８ｃおよび横方向桟木９ａ、９ｂを備える。この樹脂発泡体３は複数個の締結部材によって面材４の一方の面に固定される。内側通気層５は面材４のもう一つの面に縦方向桟木８ａ、８ｂ、８ｃおよび横方向桟木９ａ、９ｂによって形成される。内側通気層５が区画用部材設置部分を除くパネル全域を包含するので、壁内空気と室内側暖気との間で大きな温度差が生じるのを防ぐことができる。【選択図】  図２
2004244896.tif 000002
【特許請求の範囲】
【請求項１】
矩形の面材と、この面材の一の面を覆うように着脱可能に設けられた樹脂発泡体と、他の領域から隔てられた内側通気層を形成するように前記面材の他の面にそれぞれ配置された複数本の区画用部材とを備え、前記内側通気層が前記区画用部材設置部分を除くパネル全域を包含するように構成したことを特徴とする断熱パネル。
【請求項２】
前記区画用部材が前記面材の各縁端に沿って各々配置された複数本の縦方向桟木および横方向桟木からなる請求項１記載の断熱パネル。
【請求項３】
前記樹脂発泡体が複数個の締結部材によって前記面材に着脱可能に設けられる請求項１記載の断熱パネル。
【請求項４】
樹脂材から決められた大きさを有する面材を加工する工程、木材から縦方向桟木および横方向桟木を加工する工程、液状樹脂材料を発泡させて樹脂発泡体を成形する工程、前記面材の片面に内側通気層を形成するように縦方向桟木および横方向桟木を固定する工程、前記面材の他の片面に締結部材を用いて樹脂発泡体を張る工程を含む、断熱パネルの製造方法。
【発明の詳細な説明】
【０００１】
【発明の属する技術分野】
本発明は建築物の外断熱工法に係り、特に、内側通気層がパネル全域を包含できるように区画用部材を配置して構成される断熱パネルおよびその製造方法に関する。
【０００２】
【従来の技術】
建築物の外壁にはポリスチレンまたはポリウレタンフォームなどの樹脂発泡体で構成される断熱パネルが使用される。この断熱パネルを設けることで、外壁を通過する熱の移動を最小に抑えることができ、夏季においては外から室内等に入る太陽熱を絶ち、冬季には室内等から逃げる暖気を遮る、断熱効果を得ることが可能になる。
【０００３】
この樹脂発泡体は、たとえば、工場において液状発泡材料を発泡させて所定の形状に成形し、この樹脂成形品を予め作られた面材に張り、取り扱いの容易な断熱パネルとして完成させる。このとき用いられる、簡便な方法は接着剤を用いて双方の部材を接合する方法である。また、建築物の外壁工事において樹脂発泡体を柱などに固定した面材に装着することも行われている。面材への取付けは樹脂発泡体を貫通して設ける締結部材、たとえば、ビスが用いられる（たとえば、特許文献１参照）。
【０００４】
【特許文献１】
特開平１０−２８０５７６号公報  （第２頁、第８図および第９図）
【０００５】
【発明が解決しようとする課題】
接着剤の主要材料である有機化合物には人体に害を及ぼす有害物質が多量に含まれる。近年、この環境汚染の原因となる接着剤の使用について制限する動きが強まりつつあり、断熱パネルの製作においても接着剤によらない工法への改善が急務となっている。接着剤は環境汚染に係わるだけでなく、接着剤を使用した場合、部材同士が強力な接着力で結び付くことから、後に樹脂発泡体を面材から剥がそうとしても、容易に引き離すことができない。これは、たとえば、樹脂発泡体の再資源化を図るとき、樹脂発泡体のみを回収するのに大きな妨げになる。
【０００６】
一方、近年、従来の内断熱工法に代わる新たな工法として外断熱工法が注目されている。この外断熱工法が好まれる理由は壁内および室内等で空気中の水分が低温の外気で冷やされて結露が起こるのを防止できる点にある。この工法では壁内に他の領域から隔てられた内側通気層を形成する必要があり、壁内所要の箇所に区画用部材を配置しなければならない。しかしながら、この区画用部材について、仮に、節度を欠いた使い方をしたならば、壁内で空気が流動するときにこの部材がバリアとなり、空気の流れを停滞させてしまう可能性がある。
【０００７】
本発明の目的は断熱材の再資源化のためにリサイクル性を高め、しかも、パネルほぼ全域にわたって空気を流すことを可能にした断熱パネルおよびその製造方法を提供することにある。
【０００８】
【課題を解決するための手段】
本発明に従う断熱パネルは矩形の面材と、この面材の一の面を覆うように着脱可能に設けられた樹脂発泡体と、他の領域から隔てられた内側通気層を形成するように面材の他の面にそれぞれ配置された複数本の区画用部材とを備え、内側通気層が区画用部材設置部分を除くパネル全域を包含するように構成したものである。
【０００９】
上記断熱パネルにおいては内側通気層が区画用部材設置部分を除くパネル全域を包含するようにしたので、パネルほぼ全域において空気が滞留することなく流れ、たとえば、冬季において壁内空気と室内側暖気との間で大きな温度差が生じるのを防ぐことができる。
【００１０】
一方、断熱材の取付けは締結部材で着脱可能に設けているので、再資源化のための断熱材回収では締結部材を緩めることで、面材から樹脂発泡体を極めて容易に引き離すことができる。
【００１１】
また、本発明に係る断熱パネルを製作する方法は次の工程を含む。樹脂材から決められた大きさを有する面材を加工する工程、木材から縦方向桟木および横方向桟木を加工する工程、液状樹脂材料を発泡させて樹脂発泡体を成形する工程、上記面材の片面に内側通気層を形成するように縦方向桟木および横方向桟木を固定する工程、上記面材の他の片面に締結部材を用いて樹脂発泡体を張る工程である。
【００１２】
【発明の実施の形態】
本発明の一実施の形態について図面を参照して説明する。図１において、本発明の断熱パネル１は後に詳述される樹脂発泡体、構造用面材および区画用部材からなり、外断熱用組立て式パネル材として建築物の壁の一部を構成している。建築物の壁には、通常、この断熱パネル１を覆って不燃材からなるサイディング２が設けられる。
【００１３】
断熱パネル１は断熱材としての樹脂発泡体３、面材４および内側通気層５を形成するための区画用部材を備える。内側通気層５とは建築物の壁内において空気が流動する空間のことであり、これは室内側ボード６を介して部屋または室内空間と互いに隣接する。このような外断熱工法を採り入れるならば、壁内空気は、たとえば、冬季では暖房機器などで暖められた室内側暖気と間接的に接するので、外壁を取り囲む外気と比べて温度は高くなり、室内側暖気との間で大きな温度差がつくのを抑制することができる。なお、図中、符号７は内側通気層５に空気を取り入れる通気口を示している。
【００１４】
改めて本発明に従い構成した断熱パネル１を図２（ａ）（ｂ）に示す。樹脂発泡体３は矩形の枠内で液状ポリスチレンを発泡させて厚さ約４０ｍｍに成形されている。この樹脂発泡体３は複数個の締結部材（後記）によって面材４の一方の面に固定される。硬質樹脂からなる面材４は樹脂発泡体３と同様に矩形に加工される。
【００１５】
また、内側通気層５は面材４のもう一つの面に縦方向桟木８ａ、８ｂ、８ｃおよび横方向桟木９ａ、９ｂによって形成されている。３０ｍｍの幅寸法を有する桟木８ａ、８ｂおよび桟木９ａ、９ｂはパネルほぼ全域を包含する内側通気層５を形成するように、面材４の幅方向縁端および長さ方向縁端に各々配置される。３０ｍｍの幅寸法を有する桟木８ｃは幅方向ほぼ中間に配置される。この断熱パネル１は樹脂発泡体３と面材４との間に図示しない透湿シートを介挿している。
【００１６】
さらに、樹脂発泡体３は、図３に示すように、ビス１０で締め付けることによって面材４に固定される。ビス１０の頭部には硬質樹脂製のワッシャー１１が介装される。このワッシャー１１は外径寸法が大きく作製されており、締付けに伴って樹脂発泡体３が過度に変形するのを抑えることができる。
【００１７】
上記構成からなる断熱パネル１においては、面材４の各縁端に置く、幅の狭い桟木８ａ、８ｂおよび桟木９ａ、９ｂで区画される内側通気層５はパネルほぼ全域を包含することができる。たとえば、冬季において室内側暖気との温度差が大きくなるのを抑制するのにこの通気層はパネル全域で空気が存在できる、バリアのない空間であるのが望ましい。
【００１８】
本実施の形態の内側通気層５は制限された幅の桟木８ａ、８ｂ、８ｃおよび桟木９ａ、９ｂで形成したもので、パネルほぼ全域において壁内空気が滞留することなく流れ、たとえば、冬季においては壁内空気と室内側暖気との間で大きな温度差が生じるのを防ぐことができる。
【００１９】
一方、面材４に対する断熱材の取付けはビス１０によるもので、断熱材回収ではこのビス１０を緩めることによって樹脂発泡体３を面材４から極めて容易に引き離すことができる。
【００２０】
このように本実施の形態においては、内側通気層５が区画用部材設置部分を除くパネル全域を包含するようにしたので、パネルほぼ全域において空気が滞留することなく流れ、壁内空気と室内側暖気との間で大きな温度差が生じるのを防ぐことができる。
【００２１】
一方、断熱材の取付けはビス１０によって着脱可能に設けているので、再資源化のための断熱材回収ではビス１０を緩めることで、面材４から樹脂発泡体３を極めて容易に引き離すことができる。
【００２２】
本発明の上記と異なる実施の形態を説明する。図４（ａ）（ｂ）に示すように、断熱パネル１２は上記実施の形態と同様に樹脂発泡体１３および面材１４と共に、内側通気層１５を形成するための縦方向桟木１６ａ、１６ｂ、１６ｃおよび横方向桟木１７ａ、１７ｂを備える。樹脂発泡体１３は上記実施の形態と同様なビス１０（図３参照）によって面材１４の一方の面に固定されている。
【００２３】
また、内側通気層１５は面材１４のもう一つの面に区画用部材である、縦方向桟木１６ａ、１６ｂ、１６ｃおよび横方向桟木１７ａ、１７ｂによって形成されている。パネルほぼ全域を包含する内側通気層１５を形成するように、桟木１６ａ、１６ｂは面材１４の幅方向縁端および長さ方向縁端に各々配置される。
【００２４】
本実施の形態においても、上記実施の形態と同様に、内側通気層１５はパネルほぼ全域を包含することができ、このため、パネルほぼ全域において空気が滞留することなく流れる。したがって、たとえば、冬季において壁内空気と室内側暖気との間で大きな温度差が生じるを防ぐことができる。
【００２５】
一方、面材１４への断熱材の取付けはビス１０によるもので、断熱材回収ではこのビス１０を緩めることにより樹脂発泡体１３を面材１４から極めて容易に引き離すことができる。
【００２６】
本実施の形態においては、内側通気層１５が区画用部材設置部分を除くパネル全域を包含するようにしたので、パネルほぼ全域において空気が滞留することなく流れ、壁内空気と室内側暖気との間で大きな温度差が生じるのを防ぐことができる。
【００２７】
また、断熱材の取付けはビス１０によって着脱可能に設けているので、再資源化のための断熱材回収ではビス１０を緩めることで、面材１４から樹脂発泡体１３を極めて容易に引き離すことができる。
【００２８】
上記の断熱パネルは次の工程に従い製作する。厚さ９ｍｍの硬質樹脂材から、図５（ａ）に示す、構造用面材４を加工する。適当な木材または集成材から図５（ｂ）に示す縦方向桟木８ａ、８ｂ、８ｃおよび横方向桟木９ａ、９ｂを加工する。縦方向桟木のうち、桟木８ｃは桟木８ａ、８ｂよりも長さを３０ｍｍだけ短く加工する。内側通気層のための通気口７（図１参照）を形成するために桟木９ａ、９ｂの幅寸法については両者の間で、たとえば、７５ｍｍおよび４５ｍｍのように差を設ける。
【００２９】
さらに、液状ポリスチレンを準備し、決められた大きさの枠内で発泡させて図５（ｃ）に示す、厚さ４０ｍｍの樹脂発泡体３を成形する。図５（ｄ）に示すように、桟木８ａ、８ｂ、８ｃおよび桟木９ａ、９ｂを面材４の片面（図において下側）に釘を打って留める。また、面材４のもう一つの片面（図において上側）に透湿シート１８を張る。図５（ｅ）に示すように、決められた数のビス１０を用いて樹脂発泡体３を面材４に取付ける。ビス１０はワッシャーを装着した後、面材４まで通るように固定する。上記の工程を経て断熱パネルを得ることができる。
【００３０】
【発明の効果】
本発明によれば、内側通気層が区画用部材設置部分を除くパネル全域を包含するようにしたので、パネルほぼ全域において空気が滞留することなく流れ、たとえば、冬季において壁内空気と室内側暖気との間で大きな温度差が生じるのを防ぐことができる。
【００３１】
さらに、断熱材の取付けは締結部材で着脱可能に設けているので、再資源化のための断熱材回収では締結部材を緩めることで、面材から樹脂発泡体を極めて容易に引き離すことができる。
【図面の簡単な説明】
【図１】本発明の断熱パネルを装着した建築物外壁を示す断面図である。
【図２】本発明による断熱パネルの一実施の形態を示すもので、（ａ）は断熱パネルの側面図、（ｂ）は断熱パネルの正面図である。
【図３】図１に示される樹脂発泡体の取付け構造を示す断面図である。
【図４】本発明による断熱パネルの他の実施の形態を示すもので、（ａ）は断熱パネルの側面図、（ｂ）は断熱パネルの正面図である。
【図５】本発明に係る断熱パネルの製造工程を示す図である。
【符号の説明】
３、１３…  樹脂発泡体
４、１４…  面材
５、１５…  内側通気層
８ａ、８ｂ、８ｃ、１６ａ、１６ｂ、１６ｃ…  縦方向桟木
９ａ、９ｂ、１７ａ、１７ｂ…  横方向桟木
１０…  ビス
１１…  ワッシャー
【図１】
2004244896.tif 000003
【図２】
2004244896.tif 000004
【図３】
2004244896.tif 000005
【図４】
2004244896.tif 000006
【図５】
2004244896.tif 000007